(57)【特許請求の範囲】
【請求項１】
草木の植物体を機械的または化学的、或いは機械的と化学的により処理（古紙等のパルプ製品の場合は解繊処理）して、植物体を構成している細胞壁および繊維の主要成分である炭水化物のセルロース繊維を取出し、アスファルト、コンクリート、金属、網、石、砂利、砂、土、木板、樹脂、ゴム、布の上に直接敷き詰めることによって、新植物体の生育培地になって植物が栽培できるパルプ土壌とした植物栽培方法であって、前記パルプ土壌は肥料を含まず、前記セルロース繊維が養分として植物体に吸収されることを特徴とした植物栽培方法。
【請求項２】
草木の植物体を機械的または化学的、或いは機械的と化学的により処理（古紙等のパルプ製品の場合は解繊処理）して、植物体を構成している細胞壁および繊維の主要成分である炭水化物のセルロース繊維を取出し、全面または一部面だけに植物が根を通すことができる網袋や織布袋または生分解性不織布袋の中に詰めてパルプ土嚢とし、アスファルト、コンクリート、金属、網、石、砂利、砂、土、木板、樹脂、ゴムの上に直接配置、設置、敷設して、前記パルプ土嚢の植物が根を通すことができる面上に植物を生育または予めパルプ土嚢の植物が根を通すことができる面に植物を植えて植物土嚢とした植物栽培方法であって、前記セルロース繊維が養分として植物体に吸収されることを特徴とした植物栽培方法。
【請求項３】
前記セルロース繊維にウッドチップ、保水材を個別または複数種混ぜることによって、セルロース繊維が栽培植物の栄養分として吸収されて無くなっても植物の生育培地として残り、植物が継続して栽培できるように栽培期間を延ばした請求項１又は請求項２の植物栽培方法。
【発明の詳細な説明】
【技術分野】
【０００１】
本発明は、植物栽培方法に関し、より詳言すれば、自然界で草木が腐葉土になる自然分解の過程に於けるセルロース繊維状態を人工的に草木から取り出して、セルロース繊維を植物生育培地のパルプ土壌とした植物栽培方法。
【背景技術】
【０００２】
従来、草木等の植物の生育材としては、一般的にパルプを微生物等が自然分解した腐葉土を培地とした栽培方法であるが、紙パルプを加工した植物栽培方法も開示されている（例えば、特許文献１参照）。特許文献１には、再生紙製の栽培容器内にシュレッター等で小片に分解された紙片が、供給される水分を吸収して含有可能に形成された植物培養用の培養層をなし、この培養層の上部及び内部の少なくともいずれかに根の部分が位置するように栽培容器内に配置される根付きの植物を備え、紙片の培養層が植物の培地として用いられている植物栽培ユニット及び植物栽培方法が開示されている。この培養層の紙片は品質や性能が安定し易く、長期的に使え、古くなったら燃えるゴミとして出して、新しい紙片を栽培容器に入れる補充や部分的な入れ替え等が容易に行えるように意図されている。
【先行技術文献】
【特許文献】
【０００３】
【特許文献１】特開  ２００８−３０１７７８号公報
【発明の概要】
【発明が解決しようとする課題】
【０００４】
しかしながら前述した特許文献１に記載された植物栽培ユニットと植物栽培方法の培地は小片に分解した紙のままであり、特に紙をシュレッター等で３ミリ前後に裁断分解した植物培養層では、培地材料としての片が大き過ぎるため、通気性はあるが培養層が荒く培養植物の根の太さより隙間が広いと、根と紙片が密着出来ず浮いた状態になるため、紙片培養層から水分や養分を十分吸収できない。また、紙のままであると複数のセルロースが固められた状態になっていて水が紙片に吸収され難く、保水性が悪く保水量も少ないため、紙片培養層には保水剤が必要になっている。更に、紙片が自然分解して栄養源になるまでには時間が掛かり、栽培植物が紙片パルプを植物体の養分として吸収できないため、紙片培養層に緩効性肥料も必要となっている。したがって、小片に分解された紙片培養層は植えた植物を支えて安定させる保持材の役目であり、水分と養分が供給できる培地としてのパルプ土壌ではない。よって、見栄えから古くなったら交換が必要で、ゴミとして出す事も必要、焼却する事も必要となっている。このような課題から、植木鉢やプランター等の人工物での小規模栽培に於いて根の太い観葉植物の栽培方法には適するが、屋外等の大規模栽培や芝等の根の細い植物の栽培方法には適さないと云う課題もあった。
【０００５】
一方、自然界のパルプ生育材は図１９の様に腐葉土であり、腐葉土は微生物が森林の倒木１９などの植物体を分解（発酵）して食べ、分解し難いセルロース繊維等が残り、風化によって微細化して粉状のセルロースになり、土化したもので養分と保水性が高い。しかし、有機物であるセルロースが土化した粒子の細かい腐葉土は、乾燥すると軽くなって風で飛散してホコリになり易く、また保水性が良いことから水を吸うと泥化するため、雨水によって流出し易く、汚れやすい。したがって、腐葉土は田畑や花壇等の大地での植物栽培には適するが、構築物等の人工物上での植物栽培には適さないという課題があった。
【０００６】
本発明は、このような従来のパルプ生育材が腐葉土になった状態で植物を栽培する方法の課題と紙片の状態で植物を栽培する方法の課題を解決しようとするもので、保水性がよくパルプ生育材そのものが植物の養分（肥料）となって吸収される腐葉土の利点と通気性が良くホコリ飛散や泥化して流れ出ない紙片の利点を持ち合わせたパルプ生育材で野菜工場などの屋内や屋外の緑化等において万物上に植物栽培することができるパルプ土壌による植物栽培方法を提供することを目的とする。
【課題を解決するための手段】
【０００７】
上記の課題を解決して目的を達成するため、図１９の様に自然界における草木状態から腐葉土になるまでの過程を培地分析した結果、植物にとってセルロースは植物体の細胞壁や繊維であり、人間が動物の肉や骨を食べて肉や骨をつくって身体が成長する様に、植物もセルロースを栄養源にして新植物体の細胞壁や繊維のセルロースつくって成長することができるため、セルロース繊維からセルロースが土化した腐葉土までが生育培地の範囲となる。栄養分を豊富に含んだ流動食の様な腐葉土は、分解が進んでいて多養分化と細分化で植物の培地としては最適であるが取扱い難い前記指摘のような課題があった。一方、セルロース繊維は取扱い易いが分解が不十分で繊維質のため、植物の茎・葉・根などの植物体の養分にはなるが、花や実などの養分不足の課題もある。万物上、特に人工物上において、何処でも簡単に植物を栽培する事ができる培地としては取扱い易いセルロース繊維の方が適しており、必要に応じて不足分の肥料を加えたり、保水材を混ぜておき、図１８の様に人工的にセルロース繊維２のパルプ土壌Ｐをつくることにより、効率よく植物再生人工循環サイクルを回すことができ、今後の野菜工場等の人工植物栽培に有効活用できる。
【０００８】
第１の発明に係る植物栽培方法は、草木の植物体を機械的または化学的、或いは機械的と化学的により処理（古紙等のパルプ製品の場合は解繊処理）して、植物体を構成している細胞壁および繊維の主要成分である炭水化物のセルロース繊維を取出し、アスファルト、コンクリート、金属、網、石、砂利、砂、土、木板、樹脂、ゴム、布の上に直接敷き詰めることによって、新植物体の生育培地になって植物が栽培できるパルプ土壌（パルプ生育床材）とした。
【０００９】
第２の発明に係る植物栽培方法は、草木の植物体を機械的または化学的、或いは機械的と化学的により処理（古紙等のパルプ製品の場合は解繊処理）して、植物体を構成している細胞壁および繊維の主要成分である炭水化物のセルロース繊維を取出し、全面または一部面だけに植物が根を通すことができる網袋や織布袋または生分解性不織布袋の中に詰めてパルプ土嚢とし、アスファルト、コンクリート、金属、網、石、砂利、砂、土、木板、樹脂、ゴムの上に直接配置、設置、敷設して、前記パルプ土嚢の植物が根を通すことができる面上に植物を生育または予めパルプ土嚢の植物が根を通すことができる面に植物を植えて植物土嚢とした。
【００１０】
第３の発明に係る植物栽培方法は、草木の植物体を機械的または化学的、或いは機械的と化学的により処理（古紙等のパルプ製品の場合は解繊処理）して、植物体を構成している細胞壁および繊維の主要成分である炭水化物のセルロース繊維を取出し、ウッドチップ、保水材を個別または複数種混ぜることによって、セルロース繊維が栽培植物の栄養分として吸収されて無くなっても植物の生育培地として残り、植物が継続して栽培できるように栽培期間を延ばした。
【発明の効果】
【００１１】
第１の発明効果は、セルロース繊維からなるパルプ土壌はセルロース繊維が単体で露出した状態で取り出されており、栽培植物の根が直接接触することによってセルロース繊維が含んでいる水分を吸収すると共に、炭水化物であるセルロース繊維そのものを分解して栄養源として吸収することができるため、水分と養分が供給できる生育培地であり、パルプ土壌を敷設するだけの簡単施工で、何処でも場所を選ばずに植物が容易に栽培できる。したがって、アスファルトやコンクリートを剥がしたり地均し等の基盤工事が必要なく、植物が栽培できる環境下であれば万物上に短期間で植物栽培ができる。また植物栽培が不要になったときの撤去、復元、処理も簡単で栽培植物とパルプ土壌を取り除くだけで施工前の状態に復元ができ、取り除いた植物とパルプ土壌は堆肥（ミミズが住着く）または焼却処理ができる。
更に、セルロースは植物体の細胞壁および繊維の主成分で、水分は細胞壁と細胞膜を透して細胞内に蓄えられるため、透水性、保水性が非常に良く、ほぼ１００％の保水率。たとえば、容器の中にセルロース繊維を詰めて水を入れた場合、容器の中のセルロース繊維の量に関係なく水は容器の容積とほぼ同等の量が入る。したがって、乾いたセルロース繊維のパルプ土壌を１００ミリの厚さで敷いた場合、パルプ土壌を敷いた面積に１００ミリの降雨量があっても保水可能で貯水池の役目を果たす。それ以上降った雨量は飽和して森の湧き水のようにセルロース繊維で濾過されて、きれいな水になって少しずつ流れ出てダムの役割をする。これは腐葉土も同様の結果で、森林があると洪水が起こりにくい事でも証明されている。
更に、パルプ土壌はセルロース繊維で培地層をつくるため、通気性が良く、また絡み合っているので飛散や流出もしない。また、植物の根がセルロース繊維に絡み付くため、根張りと保持性が良く、栽培植物が抜けたり剥がれたりすることが少ない。
更に、乾燥時は非常に軽くて運搬が容易で大量輸送ができ、屋上緑化などの施工にはエレベーター搬送ができるため、クレーン等の重機は使わなくてもよく、輸送コストが少なく済む。
更に、地球環境保全の効果として木資源である間伐材、廃木材や古紙等のパルプ製品を再び植物の生育材として有効活用することにより、森林保護になる。特に、杉やヒノキ等を野菜工場のパルプ土壌に使うと間伐材の需要が増えて森林の手入れが良くなる。また屋上緑化、駐車場緑化、校庭緑化、コンビナート緑化等により、ヒートアイランド対策が容易にでき、地球温暖化防止にもなる。
【００１２】
第２の発明効果は、セルロース繊維であるパルプ土壌を植物が根を通すことができる生分解性繊維の不織布等の袋に詰めることにより、高い保水性で水を吸収すると重く安定した繊維質のパルプ土嚢になり、土手や切通などの斜面（盛土法面等）の土の流出と土砂崩れ防止ができると同時に、植物生育材として芝等の植物を植えることにより、植物の根がパルプ土嚢を通して地面の中に伸びるため、パルプ土嚢は繊維層となって地表固めになる。その後、セルロース繊維であるパルプ土壌と生分解性の袋が自然循環で土に還ることにより、完全なエコの防災緑化になる。なお、パルプ土嚢に予め芝を植えて芝土嚢として置くと災害時等の緊急緑化に即く対応が出来る。更に、袋の底面を防根や防水シートにすることにより、袋単位で何処でも緑化ができる。また緑化の面積やレイアウトは、芝土嚢の数や位置の変更で自由自在にできる。トレーによる緑化の場合も同様である。
【００１３】
第３の発明効果は、ウッドチップをセルロース繊維に混ぜてパルプ土壌とすることにより、栽培植物がセルロース繊維を全て養分として吸収してもウッドチップは木片のため、自然分解してセルロース繊維になるまで時間が掛かり、パルプ土壌としてのセルロース繊維が継続して得られ、植物栽培が長期間できる。
また、セルロース繊維に軽石等の保水材を混ぜたパルプ土壌にすることにより、保水力のあるセルロース繊維が全て植物の養分として吸収されて無くなっても軽石等の保水材があると生育骨材として残っているため、栽培植物は保水材から水分が得られて栽培の継続が可能となる。
また、セルロース繊維は植物体の細胞壁や繊維で、植物の生育においても堆肥として細胞壁や繊維の養分となって根・茎・葉の植物体になるため、吸収されてなくなる。また栽培植物に於いても花・実・球根等にはそれぞれの植物に見合った養分が必要であり、肥料は必要なときに必要な肥料をやることにより、栽培の継続と共に、植物の栽培目的が達成される。
【図面の簡単な説明】
【００１４】
【図１】古紙をセルロース繊維に解繊する一実施例を解繊機の一部断面図で明示したものである。
【図２】セルロース繊維が植物培地のパルプ土壌になることを示したものである。
【図３】本発明のセルロース繊維をパルプ土壌として基盤上に敷設した植物栽培方法を断面図で示したものである。
【図４】本発明のセルロース繊維をパルプ土壌として実際に基盤上に芝を栽培した実施例の写真である。
【図５】駐車場の芝緑化の一実施例を示した写真である。
【図６】パルプ土壌にミミズが発生した芝の生育状況の写真。
【図７】パルプ土壌のセルロース繊維には芝の根はよく伸びて絡み合い、芝が剥がれないことを示した写真。
【図８】プラスチック容器の中にパルプ土壌を入れてカイワレ大根を栽培した一実施例の写真。
【図９】パルプ土嚢の作り方とパルプ土嚢に芝を植えた状態の断面図。
【図１０】パルプ土嚢を法面に敷設する手順と芝による防災緑化を断面図示したもの。
【図１１】アミ袋の芝土嚢の一実施例の写真。
【図１２】芝土嚢の根の伸び具合を示した写真。
【図１３】底面を防根・防水シートにした芝土嚢の一実施例。
【図１４】芝土嚢の活用例を示したものである。
【図１５】パルプ土壌のセルロース繊維が全て養分として栽培植物に吸収された状態を示したものである。
【図１６】セルロース繊維に木チップを混ぜたパルプ土壌。
【図１７】セルロース繊維に保水材の軽石を混ぜたパルプ土壌。
【図１８】植物再生人工循環サイクルによる草木資源の活用と環境保全。
【図１９】植物再生自然循環サイクルを示したものである。
【発明を実施するための形態】
【００１５】
以下、本発明の実施例を図１〜図１９に基づいて詳細に説明する。実施例に於けるセルロース繊維は、新聞紙・ダンボール紙・コピー紙等の古紙を解繊機で機械的に解繊処理してセルロース繊維を取り出した綿状のパルプで、商業的に入手も可能である。なお、本発明のパルプ土壌とは、前記セルロース繊維を植物が生育する培地としたもの。またパルプ土嚢とは、前記セルロース繊維を袋に詰めて土嚢機能があるもの。また植物土嚢とは、植物をパルプ土嚢に植えて植物とパルプ土嚢を一体化したもので、芝を植えれば芝土嚢となる。また芝マットとは、前記セルロース繊維を袋に詰めて上面に芝を生育して一体化したもので、土嚢機能よりも緑化とヒートアイランド対策を主目的としたものである。
【００１６】
図１は、古新聞の古紙１を解繊機Ｋにより機械的に解繊処理してセルロース繊維２を取り出す過程を示したものであり、古新聞の古紙１を解繊機Ｋの投入口に投入すると送込機で送られて粗解繊、中解繊、綿解繊されて回収機でセルロース繊維２が回収され、袋又は箱詰めされる。なお本発明の紙からのセルロース繊維２は、この解繊方法に限定されるものではない。
【００１７】
図２は、セルロース繊維が植物の生育培地になることを示したものであり、同図（イ）は、図１の解繊機Ｋで古新聞の古紙１を解繊したセルロース繊維２であり、植物体の細胞壁や繊維が絡み合って綿状になっている。同図（ロ）は、セルロース繊維の保水性を一本のセルロース繊維２で示したもので、セルロース繊維２は細胞壁４が露出した状態で、水３が触れると細胞壁４と細胞膜（図示せず）を容易に透して中に入り、細胞壁４と細胞膜（図示せず）も含めてセルロース繊維２全体が水３で満たされて保水率１００％の水の塊となる。同図（ハ）は、セルロース繊維２が植物生育培地となることを示したもので、植物５が根６によってセルロース繊維２が含んでいる水３を吸収して、大気中の炭酸ガスと太陽光エネルギーによる炭酸同化作用で炭水化物の植物体をつくると同時に、炭水化物であるセルロース繊維２自体も分解して植物体をつくる栄養源として直接吸収することができる。従って、セルロース繊維２は水分を供給すると共に、養分も供給できるため、植物生育培地となる。
【００１８】
図３は、請求項１のセルロース繊維２がパルプ土壌Ｐになって植物の栽培が出来ることを示したものであり、図１の古新聞の古紙１を解繊装置Ｋで解繊したセルロース繊維２をパルプ土壌Ｐとしてアスファルト、コンクリート、金属、木板、ゴム、合成樹脂、網、石、砂利、砂、土などの基盤７の上に直接敷き詰め、植物の生育培地として芝、草、木等の植物５を栽培した根６などの生育状態を断面図で示したもので、根６は同じ植物物質であるパルプ土壌Ｐとは馴染みがよく、また図２の（ハ）のように、セルロース繊維２から水分と養分を吸収することができるので同化するように、深くよく伸びてパルプ土壌Ｐの全体に根６が張って生育が良くて早い。特に、芝の生育培地に適するが、種からの生育は発芽するが、種が非常に小さく、発芽時の根６はセルロース繊維２より細くて水分と養分が十分吸収できず難しい。
【００１９】
図４は、請求項１のセルロース繊維２をパルプ土壌Ｐとした植物栽培方法で実際にアスファルト７１、コンクリート７２、鉄板７３の上で芝５１を１年間試験栽培した写真で、一般地面に植えた芝に比べて根、葉共に成長が良いことを示したものである。同図（イ）は、アスファルト７１の上に直接、セルロース繊維２であるパルプ土壌Ｐを敷き詰めて根付きの芝５１を植えた芝根６１などの生育状況を示した断面写真。同図（ロ）は、コンクリート７２の上に直接、セルロース繊維２であるパルプ土壌Ｐを敷き詰めて根付きの芝５１を植えた芝根６１などの生育状況を示した断面写真。同図（ハ）は、鉄板７３の上に直接、セルロース繊維２であるパルプ土壌Ｐを敷き詰めて根付きの芝５１を植えた芝根６１などの生育状況を示した断面写真である。
【００２０】
図５は、実際に駐車場を芝緑化した一実施例の写真であり、同図（イ）は、セルロース繊維２を車止８の外側のアスファルト７１の上に直接、敷き詰めている作業の写真である。同図（ロ）は、セルロース繊維２をアスファルト７１の上に直接、厚さ約８０ミリで敷き詰めたパルプ土壌Ｐを示した写真。同図（ハ）は、車止８の外側のアスファルト７１をパルプ土壌Ｐで芝緑化した駐車場緑化の完成写真であり、都市部の緑化とヒートアイランド対策になる。また、災害時や防災等で芝が急に必要になったときは、必要な大きさ、必要な形状、必要な面積を切り出すと行き成り芝土嚢や芝マットとして応用使用でき、そく役立つ。なお、商業用や緊急対策用に、予め広い空き地等に緑化とヒートアイランド対策を兼ねて芝土嚢や芝マット用としてパルプ土壌Ｐで芝を生育して置くこともできる。
【００２１】
図６はセルロース繊維２をパルプ土壌Ｐとして芝５１を栽培すると、ミミズ９が多く発生して芝５１の生育が良い状態を明示した写真であり、同図（イ）は、パルプ土壌Ｐとしたセルロース繊維２の中から出て来た太った元気なミミズ９の写真。同図（ロ）は、カゴのトレー（図示せず）で芝５１を２年６カ月生育した状態の写真で、カゴのトレー（図示せず）のため、ミミズ９が周りから集まって入ると共に繁殖して数十匹が生息し、パルプ土壌Ｐであるセルロース繊維２を食べて分解する。分解されたミミズ９の糞は、芝５１の肥料なって吸収され根・茎・葉の植物体を生育促進させることができ、芝５１の芝芽１０が元気に伸びた写真。
【００２２】
図７は、セルロース繊維２であるパルプ土壌Ｐで芝５１を２年間生育した場合の芝根６１の張り具合と芝５１の保持性を示した試験写真であり、同図（イ）は、芝５１の芝根６１はセルロース繊維２であるパルプ土壌Ｐの中を深くよく伸びて張り廻らして絡まり合っている状態を示した生育写真である。同図（ロ）は、ゴルフクラブ１１で芝５１の上面を強く擦り叩いたとき、芝５１の葉が千切れて凹みＵが出来ても芝根６１が抜けたり、芝が剥がれたりしない非常に保持性が良いことを示した試験写真。
【００２３】
図８は、請求項１のセルロース繊維２であるパルプ土壌Ｐを用いた合成樹脂上での植物栽培方法の一実施例として、プラスチック容器７４内でカイワレ大根５２を育てた写真であり、プラスチック容器７４の中にセルロース繊維２をパルプ土壌Ｐとして敷き詰め水を含ませて大根の種（図示せず）を蒔くと、同図（イ）のように、カイワレ大根５２のカイワレ根６２はパルプ土壌Ｐであるセルロース繊維２から水分と養分を吸収するため、伸びが良く長くなり、成長が早い（化学繊維は保水性も養分もない）。カイワレ大根５２を食べるときは、同図（ロ）のように、カイワレ大根５２の葉の部分Ｈと根の部分Ｎを切り離して、葉の部分Ｈは食べ、根の部分Ｎはセルロース繊維２にカイワレ根６２が伸びて一体となった有機物質のパルプ土壌Ｐとなっているため、燃やせるゴミ、または堆肥として出せ、環境に優しい。
この様に、セルロース繊維２であるパルプ土壌Ｐは今後、屋内の野菜工場にもクリーン培地として非常に活用できる。特に、野菜工場の根菜の生育培地として最適であると期待される。
【００２４】
図９は、請求項２のセルロース繊維２をパルプ土壌Ｐとして袋に詰めて、植物が栽培できるパルプ土嚢Ｄとした一実施例であり、同図（イ）のように、セルロース繊維２を生分解性不織布の袋１２に詰めて、同図（ロ）のように、水の吸収用や土砂崩れ防止用のパルプ土嚢Ｄとすることができ、同図（ハ）のように、パルプ土嚢Ｄの上に芝５１を植えると、水の吸収や土砂崩れ防止の土嚢機能と共に、芝緑化により地盤安定化が図れる。
【００２５】
図１０は、請求項２のセルロース繊維２を袋に詰めたパルプ土嚢Ｄに植物を栽培する方法で法面の災害防止緑化の一施工例を手順で示したもので、同図（イ）は、パルプ土嚢Ｄの輸送を示したものであり、乾燥したパルプ土嚢Ｄは軽く、取扱が容易で車両１３で現場に大量輸送できる。同図（ロ）は、施工現場の盛土の法面７５にパルプ土嚢Ｄを並べて敷くだけの簡単な敷設作業を断面図で示したものである。同図（ハ）は、敷設したパルプ土嚢Ｄに水３を十分含ませて、重く安定させると共に、盛土の法面７５に密着させて盛土を保護する状態を示した断面図。同図（ニ）は、水を十分含んだパルプ土嚢Ｄの上に根付きの芝５１を乗せて植えた断面図。同図（ホ）は、芝５１の根（図示せず）がパルプ土嚢Ｄの中のセルロース繊維２（図示せず）をパルプ土壌Ｐとして伸びて生育した状態を断面図で示したものである。同図（ヘ）は、セルロース繊維２が芝５１の栄養分になって吸収されて無くなり、生分解性不織布の袋１２は分解して自然に還り、パルプ土嚢Ｄが法面７５の盛土と同化して芝５１が自然雑草となって地盤安定の防災緑化になった状態の断面図。
【００２６】
図１１は、請求項２のセルロース繊維２（図示せず）をパルプ土壌Ｐ（図示せず）としてアミ袋１２１の中に詰めてパルプ土嚢Ｄとした上面に根付き芝５１を生育する栽培方法で、予め芝５１をパルプ土嚢Ｄの上に根付かせて一体化した芝土嚢Ｓを示した斜視写真である。なお、アミ袋１２１は生分解性素材の袋でもよい。
【００２７】
図１２は、芝土嚢Ｓの底面に芝根６１が突き出て伸びた状態を示したものであり、同図（イ）は、アミ袋１２１の底面の芝根６１の伸び具合で、袋がアミ目であるのでよく伸びて出ている。同図（ロ）は、生分解性不織布袋１２２の底面の芝根６１の伸び具合で、不織布の目は細かく小さいが、伸びはじめの芝根６１は非常に細く、十分不織布の目を通ることができるため、アミ袋１２１の底面の芝根６１の伸び具合と同様によく伸びて出ている。同図（ハ）は、カゴ１２３の底面の芝根６１の伸び具合で、カゴ１２３底面と設置する床面の間に約１０ミリ程の隙間の空間ができるため、芝根６１はあまり伸びて出てこない。
以上のことより、袋タイプの芝土嚢Ｓは底面まで芝根６１が袋を通してよく伸びて出て来るため、地面への根の定着率が早くて良く、法面や送電鉄塔の基礎等の緑化、更に災害復興や災害予防緑化等の即応の芝土嚢として適する。また、カゴタイプのように設置する基盤７（図示せず）との間に隙間を設けると防根対策などが不必要になり屋上緑化等に適するが、底面の通気が良く芝根６１に風が当たり乾くため、乾燥に注意が必要である。
【００２８】
図１３は、芝土嚢Ｓの底面を防根・防水シートにした芝マットＭであり、同図（イ）は、底面を防根・防水シート１４にした袋１２の中にパルプ土壌Ｐであるセルロース繊維２を詰めて上面に芝５１を生育した芝マットＭを断面図で示したものであり、同図（ロ）は、芝マットＭの側面写真で、防根・防水シート１４によって芝根６１（図示せず）と水３（図示せず）が出て来ないため、何処でも気軽に緑化マットとして扱うことができて、芝５１による環境改善と緑化が楽しめる。
【００２９】
図１４は、芝マットＭの使用例を示したものであり、同図（イ）は、真夏の鉄板のヒートアイランド対策として、工事用重機１５の屋根に芝マットＭを乗せて緑化したもので、工事用重機１５が汚れたり、傷が付いたりすることがなく簡単に乗せ降ろしができ、芝５１に水をやることにより、さらに涼しく作業が出来る。また、自衛隊車両に固定することにより車両の擬装にも利用できる。更に、ガス・タンクや石油タンク、船、コンビナートなど（図示せず）の鉄板上にも芝マットＭを敷き並べる緑化工法により、簡単にヒートアイランド対策が出来る。同図（ロ）のように、芝マットＭ（図示せず）や芝トレーＴの単位で屋上Ｏ等の緑化を行うと防根シートが必要なく、また緑化面積や緑化レイアウトも自由自在に何時でも変更が出来る。
【００３０】
図１５は、セルロース繊維２（図示せず）であるパルプ土壌Ｐ（図示せず）に、芝５１を３年位栽培すると、セルロース繊維２（図示せず）は養分として芝５１に吸収されて根・茎・葉の栄養源になって無くなり、芝５１と基盤７の間には芝根６１だけが糸瓜の繊維のように残り、養分と保水物質が無くなるため、芝５１は枯れてしまう。
【００３１】
図１６は、請求項３のパルプ土壌Ｐであるセルロース繊維２が全て養分として吸収されても養分不足で栽培植物が枯れないように、自然分解してセルロースになるウッドチップを混ぜた栽培方法の一実施例であり、同図（イ）は、セルロース繊維２に微小片、小片、中片、大片のウッドチップ１６を混ぜたパルプ土壌Ｐである。同図（ロ）は、セルロース繊維２に微小片、小片、中片、大片のウッドチップ１６を混ぜたパルプ土壌Ｐを基盤７の上に直接敷設して、芝５１を栽培したものであり、セルロース繊維２が全て養分となって芝５１に吸収されても、それに代わるようにウッドチップ１６がセルロースに自然分解してパルプ土壌Ｐになるため、芝５１を継続して生育できる。なおウッドチップ１６を大小混ぜることにより自然分解してセルロースになる期間に幅を持たせて、芝５１が５年以上枯れない長期間栽培できるパルプ土壌Ｐとすることができる。
【００３２】
図１７は、請求項３のパルプ土壌Ｐであるセルロース繊維２が養分として全て吸収されても、水の枯渇で栽培植物が枯れないように保水性のある物質をセルロース繊維２に混ぜてセルロース繊維２がなくなっても保水材として残り、水分が確保できる栽培方法の一実施例であり、同図（イ）は、セルロース繊維２に保水性がある軽石１７を混ぜてパルプ土壌Ｐとして基盤７の上に直接敷設、根付きの芝５１を乗せて栽培したものである。同図（ロ）は、芝５１によってセルロース繊維２（図示せず）が養分として全て吸収されて無くなっても、軽石１７は生育骨材Ｚとして残り、無数の穴に水が浸透して含まれていて保水性が高いため、芝根６１は水分を十分吸収することができる。したがって、肥料１８をやることにより基盤７の上で芝５１を継続的に栽培できる。また、冬季に於ける芝５１の葉枯れも遅らせる事ができ防げる。更に、軽石１７が締まると共に、芝根６１が絡まるため、芝５１は安定した踏圧が得られる。
【００３３】
図１８は、本発明のセルロース繊維２からなるパルプ土壌Ｐによる植物再生人工循環サイクルと環境効果を示したものであり、木の葉、枝、幹、根株や草およびパルプ製品を解繊して、図１９の植物再生自然循環サイクルの途中のセルロース繊維の状態でセルロース繊維２を人工的に取出して植物が生育することができるパルプ土壌Ｐとしたものであり、人工的ではなく、細菌等の微生物に分解させてセルロース繊維を取出したものが堆肥である。従って、パルプ土壌Ｐは堆肥と同じ肥料になる。このように再生循環を早めることによって間伐材、廃木材、剪定枝、草、古紙などの草木資源の有効活用促進になり、森林保護でＣＯ２削減等の温暖化防止とパルプ土壌Ｐによる都市部の緑化推進でヒートアイランド対策や環境改善が図れて地球環境保全になる。
【００３４】
図１９は、自然界に於ける倒木、分解、風化、土化で腐葉土になる植物再生自然循環サイクルを示したものであり、森林の倒木１９は微生物によって分解されてセルロース繊維（堆肥）になり、更に微生物の分解と風化が進むと繊維が切れて粉状のセルロースになり、更にセルロースは土化して腐葉土になる。森林の倒木１９が分解してセルロース繊維になると図２（ハ）のように新植物の養分として吸収されるため、セルロース繊維から腐葉土までが植物の生育培地となり、植物は育つ。しかし、セルロース繊維は分解が不十分で養分不足と繊維のため吸収され難いと云う課題はあるが、繊維状態で扱い易く構築物等の人工物上での緑化や植物栽培の培地に適する。セルロース繊維質である腐葉土は、粒子が細かくホコリや泥化になり易く扱い難い課題はあるが、分解が進んで土化して養分があるため、田畑や花壇等の大地での緑化や植物栽培の培地に適する。
このように、セルロース繊維から腐葉土までの各培地の特徴を生かし、土壌として使い分けることにより農作物の生育・味・風味などの農業技術の革新になる。自然界では、生木に寄生する植物があり、またキノコは、生木に生えるキノコから腐葉土に生えるキノコまで幅広くあるのに、野菜は主に腐葉土で栽培しているのが現状である。今後の野菜工場に於いては、水耕栽培とパルプ土壌栽培で新しい農業が生まれる。
【符号の説明】
【００３５】
１      古紙
２      セルロース繊維
３      水
４      細胞壁
５      植物
５１    芝
５２    イワレ大根５２
６      根
６１    芝根
６２    カイワレ根
７      基盤
７１    アスファルト
７２    コンクリート
７３    鉄板
７４    プラスチック容器
７５    法面
８      車止
９      ミミズ
１０      芝芽
１１      ゴルフクラブ
１２      袋
１２１    アミ袋
１２２    生分解性不織布袋
１２３    カゴ
１３      車両
１４      防根・防水シート
１５      工事用重機
１６      ウッドチップ
１７      軽石
１８      肥料
１９      倒木
Ｄ      パルプ土嚢
Ｈ      葉の部分
Ｋ      解繊機
Ｍ      芝マット
Ｎ      根の部分
Ｏ      屋上
Ｐ      パルプ土壌
Ｓ      芝土嚢
Ｔ      芝トレー
Ｕ      葉の千切れ凹み
Ｚ      生育骨材
【図１】
0005424408.tif 000002
【図２】
0005424408.tif 000003
【図３】
0005424408.tif 000004
【図４】
0005424408.tif 000005
【図５】
0005424408.tif 000006
【図６】
0005424408.tif 000007
【図７】
0005424408.tif 000008
【図８】
0005424408.tif 000009
【図９】
0005424408.tif 000010
【図１０】
0005424408.tif 000011
【図１１】
0005424408.tif 000012
【図１２】
0005424408.tif 000013
【図１３】
0005424408.tif 000014
【図１４】
0005424408.tif 000015
【図１５】
0005424408.tif 000016
【図１６】
0005424408.tif 000017
【図１７】
0005424408.tif 000018
【図１８】
0005424408.tif 000019
【図１９】
0005424408.tif 000020